(57)【要約】  【課題】情報と当該情報を表示している表示媒体とを同時に識別することができる。  【解決手段】表示媒体１００は、例えば電子ペーパであり、情報に関する画像が表示される表示領域１０２を有し、表示媒体識別子（媒体ＩＤ）により識別される。表示領域１０２には情報が表示され、情報は情報識別子（情報ＩＤ）により識別される。また、表示領域１０２には、符号画像１０４−１，１０４−２が表示される。符号画像１０４−１，１０４−２は、媒体ＩＤと情報ＩＤとが符号化された画像である。符号画像１０４−１，１０４−２は、例えば、ＱＲコード等の２次元コード、バーコード等により実現される。【選択図】図１
2008269437.tif 000002
【特許請求の範囲】
【請求項１】
表示媒体を識別する表示媒体識別子と、表示される情報を識別する情報識別子とが符号化された符号画像と、
前記情報識別子により識別された情報が表示される表示領域と
を有する表示媒体。
【請求項２】
前記表示領域には、複数の前記符号画像が表示される
請求項１に係る表示媒体。
【請求項３】
表示媒体を識別する表示媒体識別子と、表示される情報を識別する情報識別子とが符号化された符号画像と、前記情報識別子により識別された情報が表示される表示領域とを有する表示媒体から前記符号画像を読み取る符号画像読取手段と、
前記符号画像読取手段により読み取られた前記符号画像に符号化された前記表示媒体識別子及び前記情報識別子の少なくとも一方に対応する対象を操作する命令を送信する命令送信手段と
を有する端末装置。
【請求項４】
表示媒体を識別する表示媒体識別子と、表示される情報を識別する情報識別子とが符号化された符号画像と、前記情報識別子により識別された情報が表示される表示領域とを有する表示媒体が用いられ、
前記表示媒体識別子及び前記情報識別子の少なくとも一方に対応する対象を操作する命令を受信する命令受信手段と、
前記命令受信手段により受信された命令に基づいて、前記符号画像と前記符号画像に符号化された前記情報識別子により識別された情報とを、前記符号画像に符号化された表示媒体識別子により識別された表示媒体に表示するように制御する表示制御手段と
を有する符号画像付与装置。
【請求項５】
表示媒体を識別する表示媒体識別子と、表示される情報を識別する情報識別子とが符号化された符号画像と、前記情報識別子により識別された情報が表示される表示領域とを有する表示媒体から前記符号画像を読み取る符号画像読取手段と、
前記符号画像読取手段により読み取られた前記符号画像に符号化された前記表示媒体識別子及び前記情報識別子の少なくとも一方に対応する対象を操作する命令に基づいて、前記符号画像と前記符号画像に符号化された前記情報識別子により識別された情報とを、前記符号画像に符号化された表示媒体識別子により識別された表示媒体に表示するように制御する表示制御手段と
を有する符号画像付与システム。
【請求項６】
コンピュータを含む端末装置において、
表示媒体を識別する表示媒体識別子と、表示される情報を識別する情報識別子とが符号化された符号画像と、前記情報識別子により識別された情報が表示される表示領域とを有する表示媒体から読み取られた前記符号画像を受け付ける符号画像受付ステップと、
前記受け付けられた前記符号画像に符号化された前記表示媒体識別子及び前記情報識別子の少なくとも一方に対応する対象を操作する命令を送信する命令送信ステップと
を前記端末装置のコンピュータに実行させるプログラム。
【請求項７】
表示媒体を識別する表示媒体識別子と、表示される情報を識別する情報識別子とが符号化された符号画像と、前記情報識別子により識別された情報が表示される表示領域とを有する表示媒体が用いられ、コンピュータを含む符号画像付与装置において、
前記表示媒体識別子及び前記情報識別子の少なくとも一方に対応する対象を操作する命令を受信する命令受信ステップと、
前記受信された命令に基づいて、前記符号画像と前記符号画像に符号化された前記情報識別子により識別された情報とを、前記符号画像に符号化された表示媒体識別子により識別された表示媒体に表示するように制御する表示制御ステップと
を前記符号画像付与装置のコンピュータに実行させるプログラム。
【発明の詳細な説明】
【技術分野】
【０００１】
本発明は、表示媒体、端末装置、符号画像付与装置、符号画像付与システム及びプログラムに関する。
【背景技術】
【０００２】
様々な情報を識別可能に記憶し、情報を管理することはよく知られている。このような情報は、例えば、紙などの記録媒体に印刷され、又はディスプレイなどの表示媒体に表示されて、利用されることが多い。なお、情報はコンテンツとも呼ばれる。
【０００３】
特許文献１では、情報表示媒体にＲＦＩＤ（Radio Frequency Identification）を付与することにより、情報表示媒体と、記憶されているコンテンツとを１対１に対応させる電子情報システムが開示されている。しかしながら、特許文献１に開示されたシステムは、１つの表示媒体に対して複数のコンテンツを関連づけることができない。
【０００４】
特許文献２では、コンテンツ出力装置毎に割り当てられたアドレス情報が格納された二次元コードを表示装置に表示させる情報配信システムが開示されている。しかしながら、コンテンツが複数である場合、使用者が複数のコンテンツのいずれか１つを端末装置上で選択する必要がある。このため、操作が煩雑となり、操作ミスが発生しやすい。
【０００５】
【特許文献１】特開２００６−５３６８６号公報
【特許文献２】特開２００５−３３２０３５号公報
【発明の開示】
【発明が解決しようとする課題】
【０００６】
本発明は、情報と当該情報を表示している表示媒体とを同時に識別することができることを目的とする。
【課題を解決するための手段】
【０００７】
本発明に係る表示媒体は、表示媒体を識別する表示媒体識別子と、表示される情報を識別する情報識別子とが符号化された符号画像と、前記情報識別子により識別された情報が表示される表示領域とを有する。本発明によれば、情報と当該情報を表示している表示媒体とを同時に識別することができる。
【０００８】
好適には、前記表示領域には、複数の前記符号画像が表示される。本発明によれば、複数の情報が表示されている場合においても、それぞれの情報と当該情報を表示している表示媒体とを同時に識別することができる。
【０００９】
本発明に係る端末装置は、表示媒体を識別する表示媒体識別子と、表示される情報を識別する情報識別子とが符号化された符号画像と、前記情報識別子により識別された情報が表示される表示領域とを有する表示媒体から前記符号画像を読み取る符号画像読取手段と、前記符号画像読取手段により読み取られた前記符号画像に符号化された前記表示媒体識別子及び前記情報識別子の少なくとも一方に対応する対象を操作する命令を送信する命令送信手段とを有する。本発明によれば、特殊な読取装置を用いることなく、情報と当該情報を表示している表示媒体とを同時に識別することができる。
【００１０】
本発明に係る符号画像付与装置は、表示媒体を識別する表示媒体識別子と、表示される情報を識別する情報識別子とが符号化された符号画像と、前記情報識別子により識別された情報が表示される表示領域とを有する表示媒体が用いられ、前記表示媒体識別子及び前記情報識別子の少なくとも一方に対応する対象を操作する命令を受信する命令受信手段と、前記命令受信手段により受信された命令に基づいて、前記符号画像と前記符号画像に符号化された前記情報識別子により識別された情報とを、前記符号画像に符号化された表示媒体識別子により識別された表示媒体に表示するように制御する表示制御手段とを有する。本発明によれば、情報と当該情報を表示している表示媒体とを同時に識別するための符号画像を表示媒体に表示させることができる。
【００１１】
本発明に係る符号画像付与システムは、表示媒体を識別する表示媒体識別子と、表示される情報を識別する情報識別子とが符号化された符号画像と、前記情報識別子により識別された情報が表示される表示領域とを有する表示媒体から前記符号画像を読み取る符号画像読取手段と、前記符号画像読取手段により読み取られた前記符号画像に符号化された前記表示媒体識別子及び前記情報識別子の少なくとも一方に対応する対象を操作する命令に基づいて、前記符号画像と前記符号画像に符号化された前記情報識別子により識別された情報とを、前記符号画像に符号化された表示媒体識別子により識別された表示媒体に表示するように制御する表示制御手段とを有する。本発明によれば、情報の編集を容易に行うことができる。
【００１２】
本発明に係る第１のプログラムは、コンピュータを含む端末装置において、表示媒体を識別する表示媒体識別子と、表示される情報を識別する情報識別子とが符号化された符号画像と、前記情報識別子により識別された情報が表示される表示領域とを有する表示媒体から読み取られた前記符号画像を受け付ける符号画像受付ステップと、前記受け付けられた前記符号画像に符号化された前記表示媒体識別子及び前記情報識別子の少なくとも一方に対応する対象を操作する命令を送信する命令送信ステップとを前記端末装置のコンピュータに実行させる。本発明によれば、特殊な読取装置を用いることなく、情報と当該情報を表示している表示媒体とを同時に識別することができる。
【００１３】
本発明に係る第２のプログラムは、表示媒体を識別する表示媒体識別子と、表示される情報を識別する情報識別子とが符号化された符号画像と、前記情報識別子により識別された情報が表示される表示領域とを有する表示媒体が用いられ、コンピュータを含む符号画像付与装置において、前記表示媒体識別子及び前記情報識別子の少なくとも一方に対応する対象を操作する命令を受信する命令受信ステップと、前記受信された命令に基づいて、前記符号画像と前記符号画像に符号化された前記情報識別子により識別された情報とを、前記符号画像に符号化された表示媒体識別子により識別された表示媒体に表示するように制御する表示制御ステップとを前記符号画像付与装置のコンピュータに実行させる。本発明によれば、情報と当該情報を表示している表示媒体とを同時に識別するための符号画像を表示媒体に表示させることができる。
【発明の効果】
【００１４】
本発明によれば、情報と当該情報を表示している表示媒体とを同時に識別することができる。
【発明を実施するための最良の形態】
【００１５】
図１は、本発明の実施形態に係る表示媒体１００を示す図である。
図１に示すように、表示媒体１００は、情報に関する画像が表示される表示領域１０２を有し、表示媒体識別子（媒体ＩＤ）により識別される。表示領域１０２には情報が表示され、情報は情報識別子（情報ＩＤ）により識別される。
【００１６】
また、表示領域１０２には、符号画像１０４−１，１０４−２が表示される。符号画像１０４−１，１０４−２は、媒体ＩＤと情報ＩＤとが符号化された画像である。符号画像１０４−１，１０４−２は、例えば、ＱＲコード等の２次元コード、バーコード等により実現される。さらに、表示媒体１００には、媒体ＩＤを記憶するＩＣタグ１０６が設けられている。
【００１７】
本例では、表示媒体１００の表示領域１０２には、情報１及び情報２が表示されている。また、情報１を識別する情報ＩＤが符号化された符号画像１０４−１及び情報２を識別する情報ＩＤが符号化された符号画像１０４−２もまた、表示領域１０２に表示されている。より具体的には、符号画像１０４−１は、表示領域１０２のうち、情報１が表示される領域のいずれかに表示されており、符号画像１０４−２は、情報２が表示される領域のいずれかに表示されている。なお、符号画像１０４−１，１０４−２など、複数ある要素のいずれかを特定せずに示すときには、単に符号画像１０４などと略記することがある。
【００１８】
表示媒体１００は、例えば、電子ペーパである。電子ペーパは、画像を表示保持する領域としての表示部の内部に画像を構成する表示材料を含有し、この表示材料に書込外力（電気、磁気、熱、所定ＰＨの液体といった化学的作用等）を作用させることで、液晶、着色粒子や発光素子といった表示材料が物理的或いは化学的に状態が変化して書込外力に応じた画像が形成され、また、この書込外力を除去した後でも形成された画像が維持され、さらに、異なる書込外力を作用させると先の画像が新たな書込外力に応じた画像へと変化するものである。このように書込外力を無くした状態での表示状態の維持（記憶）が紙のようである点に加えて、着色材料や現像剤を外部から供給することなく表示画像を書き換えられる点が電子デバイス的であることから、電子ペーパと称せられることが多い。
【００１９】
なお、電子ペーパは、表示部と一体化された記憶手段を有しており、媒体の識別コード等といった電子情報を記憶手段に外部から読取り可能に保持し、電子情報を画像の書込制御等に用いることができるようになっている。また、このような電子ペーパは、繰り返し書き込み使用が可能な紙のような表示媒体としての利用が想定されるため、通常、媒体単独での表示書換機能を備えていない。このため、電子ペーパが、書換対象となる表示媒体の交換が可能な書込装置にセットされることにより、画像の書き込みが行われ、画像が書き込まれた電子ペーパは書き込み装置から外されて書込形成した画像の閲覧に用いられる。
【００２０】
図２〜図６を参照して、本発明に係る符号画像付与システムの概要を説明する。
図２は、本発明に係る符号画像付与システムにおいて実行される符号画像の付与を説明する図であって、図２（Ａ）は、情報が編集される前の表示媒体１００−１〜１００−３を例示し、図２（Ｂ）は、情報が編集された後の表示媒体１００−１〜１００−３を例示する。
図２（Ａ）に示すように、表示媒体１００−１〜１００−３の表示領域１０２−１〜１０２−３には、それぞれ情報１〜情報３に関する画像が表示されている。また、これらの画像には、それぞれ符号画像１０４−１〜１０４−３が含まれている。
【００２１】
図２（Ｂ）に示すように、本例では、表示媒体１００−３の情報が、表示媒体１００−１及び表示媒体１００−２に表示されている情報に基づいて編集され、符号画像１０４−４，１０４−５が新たに表示媒体１００−３に付与されている。より具体的には、表示媒体１００−１に表示されている情報１及び表示媒体１００−２に表示されている情報２がコピーされ、情報１に関する縮小画像及び情報２に関する縮小画像が表示媒体１００−３に貼り付けられるように、表示媒体１００−３の表示領域１０２−３に表示される画像が書き換えられている。表示媒体１００−３において、情報１に関する画像及び情報２に関する画像にはそれぞれ、符号画像１０４−４，１０４−５が含まれている。このように、符号画像の付与は、符号画像１０４−１〜１０４−３を用いて行われる。
【００２２】
図３は、本発明に係る移動端末装置１０による媒体ＩＤ及び情報ＩＤの取得方法を説明する図である。
図３（Ａ）に示すように、使用者は、携帯電話等の移動端末装置１０の筐体を把持し、移動端末装置１０を読み取りの対象となる表示媒体１００−１の付近に持ち運ぶ。使用者は、移動端末装置１０のカメラを用いて、表示媒体１００−１に表示されている符号画像１０４−１を撮影する。移動端末装置１０は、撮影して読み取った符号画像１０４−１に対して符号変換処理を施して、媒体ＩＤ及び情報ＩＤを取得する。本例では、媒体ＩＤは「Ａ」であり、情報ＩＤは「１」である。
【００２３】
媒体ＩＤと情報ＩＤが取得されると、使用者は、図示しない操作選択画面の編集メニューにおいて、この表示媒体１００−１及び情報１のいずれかに対する操作を選択する。移動端末装置１０は、使用者により選択される操作を、媒体ＩＤ及び情報ＩＤの少なくとも一方に対応する対象に対する操作として命令を生成する。したがって、命令は、媒体ＩＤ及び情報ＩＤのいずれかに対応する対象を操作するものとなる。なお、命令は、コマンドとも呼ばれる。
【００２４】
例えば、操作は、切り取り、コピー、貼り付け等から選択される。ここで、コピーは、例えば、情報ＩＤ及び媒体ＩＤのいずれかを一時的に記憶するための操作である。また、貼り付けは、例えば、コピー及び切り取りのいずれかの操作により記憶されている対象を、表示媒体１００に表示させるための操作である。本例では、使用者は、「コピー」を選択している。このため、命令は、情報ＩＤ「１」に対応する情報をコピーすることを示す。
【００２５】
同様にして、図３（Ｂ）に示すように、使用者は、表示媒体１００−２に表示されている符号画像１０４−２を撮影し、操作を選択する。本例では、媒体ＩＤは「Ｂ」であり、情報ＩＤは「２」であることが取得され、操作として「コピー」が選択されている。このため、命令は、情報ＩＤ「２」に対応する情報をコピーすることを示す。
【００２６】
さらに、図３（Ｃ）に示すように、使用者は、表示媒体１００−３に表示されている符号画像１０４−３を撮影し、操作を選択する。本例では、媒体ＩＤは「Ｃ」であり、情報ＩＤは「３」であることが取得され、操作として「貼り付け」が選択されている。このため、命令は、記憶されている情報（本例では、情報１及び情報２）を、媒体ＩＤ「Ｃ」に対応する表示媒体１００−３に表示させることを示す。
【００２７】
図４は、命令を変更するための編集コマンド変更画面１１８を例示する図である。
図４に例示するように、編集コマンド変更画面１１８には、コマンド式表示部１０８、編集指示部１１０、コマンド送信指示部１１２及びオブジェクト選択部１１６−１〜１１６−３が含まれる。
【００２８】
コマンド式表示部１０８は、コマンド式を表示する。コマンド式は、複数の命令の関係を示す式であり、移動端末装置１０により生成される。コマンド式には、取得された対象（オブジェクト）を示すオブジェクト名が含まれる。オブジェクト名は、例えば、取得された順序に基づいて１から連番で付与される。また、オブジェクト名には、後述するように情報ＩＤ及び媒体ＩＤのいずれかが関連付けられている。コマンド式において、左辺は情報の編集元を示し、右辺は情報の編集先を示す。
【００２９】
本例では、コマンド式は、「１＋２＝３」であり、このコマンド式は、オブジェクト１及びオブジェクト２が情報の編集元であり、オブジェクト３が情報の編集先であることを示す。この場合、オブジェクト１に関連付けられた情報及びオブジェクト２に関連付けられた情報が、オブジェクト３に関連付けられた表示媒体１００に表示される。また、例えば、コマンド式が「１＋２＝１、２」である場合、コマンド式は、編集先がオブジェクト１，２であることを示す。
【００３０】
編集指示部１１０は、コマンド式表示部１０８に表示されているコマンド式を編集するための指示手段である。コマンド送信指示部１１２は、編集されたコマンド式を後述する表示書込装置に対して送信するための指示手段である。編集指示部１１０及びコマンド送信指示部１１２は、例えば、ボタン、リンク等により実現される。
【００３１】
オブジェクト選択部１１６は、オブジェクト名に、媒体ＩＤ及び情報ＩＤの少なくとも一方を関連付けるための選択手段である。例えば、オブジェクト選択部１１６−１は、オブジェクト１に、情報ＩＤ「１」に対応する対象及び媒体ＩＤ「Ａ」に対応する対象のいずれかを関連付けるための選択手段である。
【００３２】
本例では、オブジェクト１には、情報ＩＤ「１」に対応する対象が関連付けられている。同様に、オブジェクト２には、情報ＩＤ「２」に対応する対象が関連付けられており、オブジェクト３には、媒体ＩＤ「Ｃ」に対応する対象が関連付けられている。なお、情報ＩＤが選択された場合、選択された対象のサムネイル画像が表示されてもよい。
【００３３】
このようにして、移動端末装置１０は、コマンド式を編集するための画面を使用者に対して提供する。なお、編集コマンド変更画面１１８の表示内容、画面構成、操作方法等は、本例に限定されず、どのような画面構成等であってもよい。
【００３４】
図５は、表示媒体１００の表示内容が、送信されるコマンド式に基づいて変更され、符号画像が付与される様子を説明する図である。
図５に示すように、表示書込装置１２は、移動端末装置１０から送信されるコマンド式を受信すると、このコマンド式に基づいて、表示媒体１００の表示内容を変更する。
【００３５】
具体的には、表示書込装置１２は、送信されるコマンド式を解析し、後述する情報サーバ１４から情報を取得し、当該情報を識別する情報ＩＤ及び編集先の表示媒体１００を識別する媒体ＩＤを符号化して符号画像を生成し、情報に関する画像に符号画像を合成して表示画像を生成する。
【００３６】
使用者は、表示媒体１００−１〜１００−３を表示書込装置１２に、順不同で装着する。表示書込装置１２は、装着される表示媒体１００の符号画像１０４から媒体ＩＤを取得し、貼り付け操作の対象である表示媒体（本例では、表示媒体１００−３）に、生成した表示画像を書き込む。書込み動作後、表示書込装置１２は、表示媒体１００を排出する。なお、表示書込装置１２は、表示媒体１００に設けられたＩＣタグ１０６から媒体ＩＤを取得してもよい。
【００３７】
図６は、表示媒体１００上の情報及び符号画像１０４の複数の配置例を例示する図である。
複数の情報が表示媒体１００に表示される場合、これらの情報は、表示媒体１００のいずれかの位置に割り付けられて表示される。複数の情報の配置に関する設定は、予め決められてもよいし、その都度、使用者により設定されてもよい。使用者は、例えば移動端末装置１０を用いて、配置に関する設定を行ってもよい。この場合、移動端末装置１０は、配置に関する設定を表示書込装置１２に対して送信する。
【００３８】
図６（Ａ）は、１つの情報を表示媒体１００に表示するための配置を例示する。図６（Ｂ）〜図６（Ｄ）は、３つの情報を表示媒体１００に表示するための配置を例示する。図６（Ｂ）及び図６（Ｃ）では、表示媒体１００の表示領域１０２を６分割した領域のいずれかに、３つの情報が表示されている。この場合、３つの情報は、同じ大きさで表示されている。図６（Ｄ）では、３つの情報が、異なる大きさで、表示媒体のいずれかの位置に表示されている。
【００３９】
図６（Ｅ）は、４つの情報を表示媒体１００に表示するための配置を例示する。図６（Ｆ）は、６つの情報を表示媒体１００に表示するための配置を例示する。図６（Ｅ）及び図６（Ｆ）では、表示領域１０２を４分割又は６分割した領域のそれぞれに、情報が表示されている。本例では、複数の情報は、同じ大きさで表示されている。図６（Ｇ）及び図６（Ｈ）は、５つの情報を表示媒体１００に表示するための配置を例示する。なお、情報の配置方法は、あくまで例示であり、本例に限定されない。
【００４０】
符号画像１０４は、情報がどのように配置されている場合においても読取可能である。したがって、媒体ＩＤ及び情報ＩＤは、１つの符号画像１０４が１つの表示媒体に表示されている場合であっても、複数の符号画像１０４が１つの表示媒体に表示されている場合であっても取得可能である。
【００４１】
以下、本発明の第１の実施形態に係る符号画像付与システム１を説明する。
図７は、本発明の実施形態に係る符号画像付与システム１の構成を示す図である。
図７に示すように、符号画像付与システム１は、移動端末装置１０、表示書込装置１２及び情報サーバ１４を含む。これらの構成要素は、ＬＡＮ（Local Area Network）、ＷＡＮ（Wide Area Network）などのネットワーク１６を介して接続されており、互いにデータの送信及び受信を行う。なお、ネットワーク１６は、有線のネットワークでもよいし、無線のネットワークでもよいし、これらが混在するものでもよい。
【００４２】
移動端末装置１０は、表示媒体１００に表示されている符号画像１０４から媒体ＩＤ及び情報ＩＤを取得し、これらの識別子に対応する対象を操作する命令を含むコマンド式を生成し、コマンド式を表示書込装置１２に対して送信する。ここで、移動端末装置１０は、命令及びコマンド式を編集するための画面を表示し、使用者は、この画面を介して入力を行う。
【００４３】
情報サーバ１４は、情報のデータを記憶し、表示書込装置１２、移動端末装置１０等の外部のコンピュータから送信される要求に応じて、情報のデータを送信する。より具体的には、情報サーバ１４は、情報ＩＤと、情報ＩＤにより識別される情報のデータとを対応づけて記憶している。情報サーバ１４は、要求を受信すると、要求に含まれている情報ＩＤを参照し、この情報ＩＤにより識別される情報のデータを、要求元のコンピュータに対して送信する。
【００４４】
表示書込装置１２は、移動端末装置１０から送信されるコマンド式を受信し、当該コマンド式に基づいて情報サーバ１４から情報のデータを取得し、符号画像を生成し、符号画像と、当該符号画像に符号化された情報により識別される情報とを含む表示画像を生成し、当該表示画像を表示媒体１００へ書き込む。なお、表示書込装置１２の方式は特に限定されず、表示書込装置１２は、いわゆる光書込み型であってもよいし、電子書込み型であってもよいし、その他の書込み方式のものであってもよい。このようにして、表示書込装置１２は、符号画像付与装置を構成する。
【００４５】
図８は、本発明の実施形態に係る移動端末装置１０のハードウェア構成を示す図である。
図８に示すように、移動端末装置１０は、ＣＰＵ１８、メモリ２０、例えば液晶ディスプレイ等の表示装置２２、例えば入力ボタン又はキーボードなどの入力装置２４、ネットワーク１６を介して外部のコンピュータとデータの送信及び受信を行う通信装置２６、及びカメラ２８を有する。これらの構成要素は、システムバス３０を介して互いに接続されており、互いにデータの出力及び入力を行う。移動端末装置１０は、例えば、後述する情報編集プログラム４がインストールされた携帯電話、携帯情報端末（ＰＤＡ；Personal Digital Assistants）等である。
【００４６】
カメラ２８は、対象物を撮影し、画像データをＣＰＵ１８に対して出力する。したがって、カメラ２８は、符号画像を読み取る符号画像読取手段を構成する。
【００４７】
このように、本発明の実施形態に係る移動端末装置１０は、符号画像を光学的に読み取る。このため、近接する表示媒体１００から送信される電波の干渉による媒体の誤指定が防止されることができる。なお、媒体とその表示情報を特定する方式として、表示媒体に設けられた無線タグ等のＩＣタグが用いられることがある。このような方式では、複数の表示媒体が積層され近接して配置され、当該複数の表示媒体を対象として編集が行われると、いずれの表示媒体１００を利用者が指定しようとしているのか判別困難となってしまう。
【００４８】
また、移動端末装置１０において、表示装置２２は、カメラ２８の撮像を表示する。したがって、使用者は、対象となる表示媒体１００の指定を画像により確認することができる。このため、操作ミスが減少する。
【００４９】
さらに、複数の表示媒体１００の符号画像１０４が順に撮像され、この符号画像それぞれから媒体ＩＤと情報ＩＤが取得されるので、複数の表示媒体１００の指定を簡便にすることができる。このため、使用者による直感的な操作を可能にする。
【００５０】
図９は、本発明の実施形態に係る移動端末装置１０において動作する情報編集プログラム４の機能構成を示す図である。
図９に示すように、情報編集プログラム４は、識別子取得部４０、コマンド生成部４２、コマンド記憶部４４、コマンド変換部４６及びコマンド送信部４８を有する。情報編集プログラム４は、メモリ２０にロードされて、ＣＰＵ１８で動作するＯＳ上で、ハードウェアを具体的に利用して実行される。なお、情報編集プログラム４の全部又は一部の機能は、移動端末装置１０に設けられたハードウェアにより実現されてもよい。
【００５１】
情報編集プログラム４において、コマンド記憶部４４は、コマンド生成部４２により生成される命令とコマンド式、及びコマンド変換部４６により変換された後の命令とコマンド式を記憶する。コマンド記憶部４４は、メモリ２０により実現される。
【００５２】
識別子取得部４０は、カメラ２８により撮影される画像データを受け付け、この画像の少なくとも一部に含まれる符号画像を復号化し、この符号画像に含まれている媒体ＩＤ及び情報ＩＤを取得して、コマンド生成部４２に対して出力する。
【００５３】
コマンド生成部４２は、識別子取得部４０から出力される媒体ＩＤ及び情報ＩＤを受け付け、図示しない操作選択画面を表示装置２２に表示し、入力装置２４を介して入力される当該表示媒体及び情報のいずれか一方に対応する対象に対する操作を受け付ける。ここで、操作は、例えば、コピー、切り取り、貼り付け等の複数の操作から選択される。したがって、コマンド生成部４２は、複数の操作から選択される操作を対象に対して行う命令を生成する。さらに、コマンド生成部４２は、このような命令に基づいてコマンド式を生成し、命令及びコマンド式をコマンド記憶部４４に格納する。
【００５４】
コマンド変換部４６は、コマンド記憶部４４に記憶されている命令とコマンド式を読み出し、編集コマンド変更画面１１８（図４）を表示装置２２に表示し、入力装置２４を介して入力される変更内容を受け付ける。編集コマンド変更画面１１８においてコマンド式等が変更された場合、コマンド変換部４６は、受け付けた変更内容に基づいてコマンド等を更新し、更新後のコマンド式等をコマンド記憶部４４に格納する。コマンド送信指示部１１０が選択された場合、コマンド変換部４６は、その旨をコマンド送信部４８に対して出力する。
【００５５】
コマンド送信部４８は、コマンド変換部４６からの出力を受け付けると、コマンド記憶部４４に記憶されている命令及びコマンド式を読み出して、通信装置２６を介して表示書込装置１２に対して送信する。具体的には、コマンド送信部４８は、記憶されている命令コマンド式を、表示書込装置１２のインターフェイスに対応するデータに変換し、変換後のデータを所定の通信手順に基づいて送信する。
【００５６】
図１０は、情報編集プログラム４による情報編集処理（Ｓ１０）のフローチャートを示す図である。
図１０に示すように、ステップ１００（Ｓ１００）において、情報編集プログラム４の識別子取得部４０は、カメラ２８により撮像されて取得された画像データを受け付け、この画像から符号画像１０４を取得する。
ステップ１０２（Ｓ１０２）において、識別子取得部４０は、符号画像１０４を解析し、媒体ＩＤ及び情報ＩＤを取得する。
【００５７】
ステップ１０４（Ｓ１０４）において、コマンド生成部４２は、入力装置２４を介して入力される媒体ＩＤ及び情報ＩＤのいずれか一方に対応する対象に対する操作を受け付け、命令及びコマンド式を生成してコマンド記憶部４４に格納する。
ステップ１０６（Ｓ１０６）において、コマンド生成部４２は、全ての表示媒体１００について符号画像１０４の取得処理及び命令の生成処理が終了したか否かを判断する。情報編集プログラム４は、全ての表示媒体１００に対する処理が終了した場合にはＳ１０８の処理に進み、そうでない場合にはＳ１００の処理に戻り、次の表示媒体１００に対する処理を行う。
【００５８】
ステップ１０８（Ｓ１０８）において、コマンド変換部４６は、編集コマンド変更画面１１８を介する入力に基づいて、コマンド記憶部４４に記憶されているコマンド式等を変更する。
【００５９】
ステップ１１０（Ｓ１１０）において、コマンド変換部４６は、編集コマンド変更画面１１８のコマンド送信指示部１１２が選択され、コマンド式の編集が終了したか否かを判断する。情報編集プログラム４は、コマンド式の変更が終了した場合にはＳ１１２の処理に進み、そうでない場合にはＳ１０８の処理に戻る。
【００６０】
ステップ１１２（Ｓ１１２）において、コマンド送信部４８は、コマンド記憶部４４に記憶されている命令及びコマンド式を読み出して、表示書込装置１２に対して送信する。このようにして、コマンド式等は、ネットワーク１６を介して移動端末装置１０から表示書込装置１２に対して送信される。
【００６１】
図１１は、情報サーバ１４に記憶されている情報データベース（ＤＢ）５０を示す図である。
図１１に示すように、情報ＤＢ５０は、情報ＩＤとこの情報ＩＤによりに識別される情報データとを対応づけて記憶している。情報サーバ１４は、図８に示されるハードウェア構成と同等の構成を有する。情報ＤＢ５０は、このようなハードウェアを具体的に利用するソフトウェアにより実現される。情報サーバ１４は、表示書込装置１２等のコンピュータから送信される要求を受信すると、要求に含まれている情報ＩＤを参照し、この情報ＩＤにより識別される情報のデータを、要求の送信元に対して送信する。
【００６２】
図１２は、本発明の実施形態に係る表示書込装置１２のハードウェア構成を示す図である。なお、図１２に示された各構成のうち、図８に示された構成と実質的に同一のものには同一の符号が付されている。
図１２に示すように、表示書込装置１２は、ＣＰＵ１８、メモリ２０、表示装置２２、通信装置２６、符号画像１０４を読み取る例えばスキャナ等の読取装置３２及び表示媒体１００に画像を書き込む書込装置３４を有する。表示書込装置１２は、このような構成により、表示媒体１００に符号画像を付与する符号画像付与装置として機能する。
【００６３】
図１３は、本発明の実施形態に係る表示書込装置１２において動作する表示画像変更プログラム６の機能構成を示す図である。
図１３に示すように、表示画像変更プログラム６は、コマンド受信部６０、識別子取得部７２、画像記憶部６８及び表示制御部７４を有し、表示制御部７４は、コマンド解析部６２、画像取得部６４、画像生成部６６及び書込制御部７０を有する。表示画像変更プログラム６は、メモリ２０にロードされて、ＣＰＵ１８で動作するＯＳ上で、ハードウェアを具体的に利用して実行される。なお、表示画像変更プログラム６の全部又は一部の機能は、表示書込装置１２に設けられたハードウェアにより実現されてもよい。
【００６４】
表示画像変更プログラム６において、コマンド受信部６０は、移動端末装置１０からネットワーク１６を介して送信される命令及びコマンド式を、通信装置２６を介して受信して、コマンド解析部６２に対して出力する。
【００６５】
識別子取得部７２は、読取装置３２により読み取られる画像データを受け付け、この画像の少なくとも一部に含まれる符号画像１０４を復号化し、この符号画像１０４に含まれている媒体ＩＤを取得して、書込制御部７０に対して出力する。なお、識別子取得部７２は、表示媒体１００に設けられたＩＣタグ１０６から取得された媒体ＩＤを受け付けてもよい。
【００６６】
画像記憶部６８は、後述する画像取得部６４により取得される情報のデータ、及び後述する画像生成部６６により生成される画像のデータを記憶する。画像記憶部６８は、メモリ２０及び図示しないハードディスクドライブなどの記憶装置の少なくともいずれかにより実現される。
【００６７】
表示制御部７４において、コマンド解析部６２は、コマンド受信部６０から出力される命令及びコマンド式を受け付けて解析する。具体的には、コマンド解析部６２は、コマンド式に含まれるそれぞれの命令における操作と、この操作の対象である媒体ＩＤ及び情報ＩＤとを取得する。
【００６８】
画像取得部６４は、コマンド解析部６２による解析結果に基づいて、画像の生成に必要となる情報のデータを取得する。より具体的には、画像取得部６４は、情報ＩＤにより識別される情報のデータを情報サーバ１４に対して要求し、当該データを情報サーバ１４から受信して画像記憶部６８に格納する。例えば、画像取得部６４は、操作がコピーである命令について、この操作の対象である情報ＩＤにより識別される情報のデータを取得する。
【００６９】
画像生成部６６は、コマンド受信部６０により受信される命令及びコマンド式に基づいて画像を生成する。具体的には、画像生成部６６は、それぞれの命令に含まれる情報ＩＤとこの情報ＩＤに対応する対象に対する操作とに基づいて、画像記憶部６８に記憶されている情報のデータを読み出して画像を生成し、生成した画像（生成画像）を画像記憶部６８に格納する。例えば、画像生成部６６は、命令における操作が貼り付けである場合、画像記憶部６８に記憶されている情報であって操作がコピーである１以上の情報のデータを読み出し、これらの情報が割り付けられた１つの生成画像を生成する。 
【００７０】
また、画像生成部６６は、情報の編集先である表示媒体１００を識別する媒体ＩＤと、表示される情報を識別する情報ＩＤとを符号化して符号画像１０４を生成する。ここで、画像生成部６６は、表示される情報が複数ある場合、当該複数の情報のそれぞれに対応する複数の符号画像１０４を生成する。さらに、画像生成部６６は、生成した符号画像１０４を生成画像に合成する。ここで、画像生成部６６は、生成画像において情報が含まれている画像領域に、当該情報に対応する符号画像１０４を合成する。
【００７１】
書込制御部７０は、画像生成部６６により生成され、画像記憶部６８に記憶されている表示画像（生成画像に符号画像１０４が合成された画像）の表示媒体１００への書き込みを制御する。具体的には、書込制御部７０は、命令に含まれる媒体ＩＤにより識別される表示媒体１００と当該識別子に対応する対象に対する操作とに基づいて当該表示媒体１００に表示画像を書き込む。より具体的には、書込制御部７０は、識別子取得部７２から出力される媒体ＩＤを受け付け、操作が貼り付けである命令に含まれる媒体ＩＤにより識別される表示媒体１００に表示画像を書き込むように、書込装置３４を制御する。したがって、書込装置３４は、書込制御部７０の制御により、画像生成部６６により生成される表示画像を、書き込み対象の表示媒体１００へ書き込む。
【００７２】
図１４は、表示画像変更プログラム６による表示画像変更処理（Ｓ２０）のフローチャートを示す図である。
図１４に示すように、ステップ２００（Ｓ２００）において、表示画像変更プログラム６のコマンド受信部６０は、移動端末装置１０から送信されるコマンド式及び命令を受信する。
ステップ２０２（Ｓ２０２）において、コマンド解析部６２は、受信されたコマンド式及び命令を解析する。
【００７３】
ステップ２０４（Ｓ２０４）において、画像取得部６４は、操作がコピーである命令に含まれる情報ＩＤにより識別される情報のデータを情報サーバ１４から取得し、この情報のデータを画像記憶部６８に格納する。
ステップ２０６（Ｓ２０６）において、画像生成部６６は、画像取得部６４により取得され、画像記憶部６８に記憶されている情報のデータを読み出し、これらの情報が割り付けられた生成画像を生成し、生成画像のデータを画像記憶部６８に格納する。また、画像生成部６６は、所定の符号画像を生成し、この符号画像を生成画像に合成して表示画像を生成する。
【００７４】
ステップ２０８（Ｓ２０８）において、画像生成部６６は、画像の生成を終了した旨の通知を行う。例えば、画像生成部６６は、液晶ディスプレイ等の表示装置２２、図示しないＬＥＤ（Light Emitting Diode）等にその旨を表示する。
【００７５】
ステップ２１０（Ｓ２１０）において、書込制御部７０は、表示書込装置１２に表示媒体１００が装着されたか否かを判断する。表示画像変更プログラム６は、表示媒体１００が装着された場合にはＳ２１２の処理に進み、そうでない場合にはＳ２１０の処理に戻る。
【００７６】
ステップ２１２（Ｓ２１２）において、読取装置３２は、装着された表示媒体１００の画像の少なくとも一部であって符号画像１０４を含む領域の画像を読み取り、読取画像データを出力する。
ステップ２１４（Ｓ２１４）において、表示画像変更プログラム６の識別子取得部７２は、読取画像データを受け付け、読取画像データを解析して媒体ＩＤを取得する。
【００７７】
ステップ２１６（Ｓ２１６）において、書込制御部７０は、操作が貼り付けである命令に含まれる媒体ＩＤにより識別される表示媒体１００に、画像生成部６６により生成されて画像記憶部６８に記憶されている表示画像を書き込むように書込装置３４を制御する。書込装置３４は、当該表示画像を当該媒体ＩＤにより識別される表示媒体へ書き込む。
【００７８】
なお、情報ＤＢ５０は、表示書込装置１２に含まれてもよい。この場合、表示書込装置１２は、当該表示書込装置１２の記憶装置等に記憶されている情報ＤＢ５０から情報のデータを読み出して、情報ＩＤにより識別される情報のデータを取得する。また、情報ＤＢ５０は、移動端末装置１０に含まれてもよい。この場合、移動端末装置１０は、命令とともに、命令に含まれる情報ＩＤにより識別される情報のデータを表示書込装置１２に対して送信する。表示書込装置１２は、送信されるデータから、情報ＩＤにより識別される情報のデータを取得する。
【００７９】
次に、本発明の第２の実施形態に係る符号画像付与システム２を説明する。
本発明の第２の実施形態に係る符号画像付与システム２は、符号画像１０４を合成された表示画像を表示装置８２に表示する点で、第１の実施形態に係る符号画像付与システム１とは異なる。
【００８０】
図１５は、本発明の実施形態に係る符号画像付与システム２の構成を示す図である。なお、図１５に示された各構成のうち、図７に示された構成と実質的に同一のものには同一の符号が付されている。
図１５に示すように、符号画像付与システム２は、符号画像付与システム１（図７）における表示書込装置１２の替わりに、制御装置８０及び表示装置８２を含む。
【００８１】
制御装置８０は、ＣＰＵ１８、メモリ２０及び通信装置２６など、表示書込装置１２と同等のハードウェア構成を有する。制御装置８０上では、表示画像変更プログラム６と同等の機能を有するプログラムが動作する。よって、制御装置８０は、コマンド式に基づいて、符号画像１０４と符号画像１０４に符号化された情報ＩＤにより識別された情報とを、符号画像１０４に符号化された媒体ＩＤにより識別された表示装置８２に表示するように制御する。このため、制御装置８０は、表示制御手段を構成する。
【００８２】
表示装置８２は、例えば液晶ディスプレイであり、図１に示される表示媒体１００と同様に、情報が表示される表示領域１０２を有し、この表示領域１０２には、表示装置８２を識別する媒体ＩＤと、情報を識別する情報ＩＤとが符号化された符号画像１０４が表示される。このため、表示装置８２は、本実施形態に係る表示媒体を構成する。
【００８３】
なお、編集先の表示媒体は、電子ペーパ、ディスプレイ等に限定されず、表示される内容が変更可能であればよい。例えば、表示媒体は、外部のプロジェクタ等であってもよい。また、編集元の表示媒体は、表示される内容が変更可能である必要はなく、用紙、ＯＨＰシート等であってもよい。
【図面の簡単な説明】
【００８４】
【図１】本発明の実施形態に係る表示媒体１００を示す図である。
【図２】本発明に係る符号画像付与システムにおいて実行される符号画像の付与を説明する図であって、図２（Ａ）は、情報が編集される前の表示媒体１００−１〜１００−３を例示し、図２（Ｂ）は、情報が編集された後の表示媒体１００−１〜１００−３を例示する。
【図３】本発明に係る移動端末装置１０による媒体ＩＤ及び情報ＩＤの取得方法を説明する図である。
【図４】命令を変更するための編集コマンド変更画面１１８を例示する図である。
【図５】表示媒体１００の表示内容が、送信されるコマンド式に基づいて変更され、符号画像が付与される様子を説明する図である。
【図６】表示媒体１００上の情報及び符号画像１０４の複数の配置例を例示する図である。
【図７】本発明の実施形態に係る符号画像付与システム１の構成を示す図である。
【図８】本発明の実施形態に係る移動端末装置１０のハードウェア構成を示す図である。
【図９】本発明の実施形態に係る移動端末装置１０において動作する情報編集プログラム４の機能構成を示す図である。
【図１０】情報編集プログラム４による情報編集処理（Ｓ１０）のフローチャートを示す図である。
【図１１】情報サーバ１４に記憶されている情報データベース（ＤＢ）５０を示す図である。
【図１２】本発明の実施形態に係る表示書込装置１２のハードウェア構成を示す図である。
【図１３】本発明の実施形態に係る表示書込装置１２において動作する表示画像変更プログラム６の機能構成を示す図である。
【図１４】表示画像変更プログラム６による表示画像変更処理（Ｓ２０）のフローチャートを示す図である。
【図１５】本発明の実施形態に係る符号画像付与システム２の構成を示す図である。
【符号の説明】
【００８５】
１，２ 符号画像付与システム
４ 情報編集プログラム
６ 表示画像変更プログラム
１０ 移動端末装置
１２ 表示書込装置
１４ 情報サーバ
１６ ネットワーク
１８ ＣＰＵ
２０ メモリ
２２ 表示装置
２４ 入力装置
２６ 通信装置
２８ カメラ
３２ 読取装置
３４ 書込装置
４０ 識別子取得部
４２ コマンド生成部
４４ コマンド記憶部
４６ コマンド変換部
４８ コマンド送信部
６０ コマンド受信部
６２ コマンド解析部
６４ 画像取得部
６６ 画像生成部
６８ 画像記憶部
７０ 書込制御部
７２ 識別子取得部
７４ 表示制御部
８０ 制御装置
８２ 表示装置
１００ 表示媒体
１０２ 表示領域
１０４ 符号画像
１１８ 編集コマンド変更画面
【図１】
2008269437.tif 000003
【図２】
2008269437.tif 000004
【図３】
2008269437.tif 000005
【図４】
2008269437.tif 000006
【図５】
2008269437.tif 000007
【図６】
2008269437.tif 000008
【図７】
2008269437.tif 000009
【図８】
2008269437.tif 000010
【図９】
2008269437.tif 000011
【図１０】
2008269437.tif 000012
【図１１】
2008269437.tif 000013
【図１２】
2008269437.tif 000014
【図１３】
2008269437.tif 000015
【図１４】
2008269437.tif 000016
【図１５】
2008269437.tif 000017